(57)【特許請求の範囲】
【請求項１】
鍵盤楽器に用いられ、押鍵操作に応じて上下に動く鍵と、
前記鍵の下方に設けられた光源と、
前記光源を点灯させるスイッチと、
前記鍵の下方に設けられ、前記押鍵操作に応じて上下に動く支持板と、
を備え、
前記光源が前記支持板に設けられるとともに、前記スイッチを構成する少なくとも１つの接点が前記支持板の下面に設けられている鍵ユニット。
【請求項２】
前記支持板の上面に前記光源が設けられている請求項１に記載の鍵ユニット。
【請求項３】
前記スイッチは、前記支持板に設けられた接点であって、前記支持板とともに動く可動接点と、前記支持板とは別の支持部に固定された固定接点とを含み、
前記押鍵操作に応じて前記支持板が上下に動くことで、前記可動接点と前記固定接点との接触と非接触とが変化する請求項１または２に記載の鍵ユニット。
【請求項４】
前記支持板と前記支持部との間で弾性変形するように設けられ、前記支持板の上下の動きを弾性的に支持する弾性部材を更に備えた請求項３に記載の鍵ユニット。
【請求項５】
前記弾性部材は、導電性を有し、前記光源に対して電源を供給することを特徴とする請求項４に記載の鍵ユニット。
【請求項６】
前記弾性部材は、コイルばねで構成され、前記コイルばねは下方に向かうに従って径が大きくなる構造であり、前記支持部に固定された前記固定接点の周辺を取り囲むように設けられている請求項４に記載の鍵ユニット。
【請求項７】
前記光源は、透過性を有するカバーで覆われており、前記カバーの上面が前記鍵に当接し、前記押鍵操作に応じて押し下げられる請求項１乃至６のいずれかに記載の鍵ユニット。
【請求項８】
請求項１乃至７のいずれかに記載の鍵ユニットと、
前記押鍵操作に応じて楽音を発音させる楽音制御部と、
を備える鍵盤楽器。
【請求項９】
複数の鍵と、
前記複数の鍵夫々の下方に設けられた固定接点と、
前記固定接点の周辺を取り囲むように設けられた弾性部材と、
前記弾性部材上に載置され、前記固定接点に対応する可動接点が設けられた支持板と、
前記支持板上でかつ前記鍵の下方に設けられ、当該鍵に対する押鍵操作に応答して前記弾性部材が弾性変形することによって前記可動接点が前記固定接点に接触した際に点灯する光源と、
を備えていることを特徴とする鍵盤楽器。
【発明の詳細な説明】
【技術分野】
【０００１】
この発明は電子ピアノなどの鍵盤楽器に関し、特に、押すべき鍵を光学的に指示することができる鍵ユニット及び鍵盤楽器に関する。
【背景技術】
【０００２】
従来の電子ピアノなどの鍵盤楽器には、押すべき鍵を光学的に指示することができるようにしたものがある（例えば、特許文献１参照）。特許文献１に記載の鍵盤楽器では、鍵の下方に設けられた、押すべき鍵を光学的に指示するための光源を点灯させ、この点灯された光源から発せられた光が押すべき鍵を透過し、この透過した光を使用者が目視することにより、使用者に押すべき鍵を指示するようになっている。そして、押すべき鍵が押されると、この押された鍵の下方に設けられた押鍵検出用スイッチが押された鍵により押されてオンとなり、この押鍵検出用スイッチのオンにより、押された鍵に対応する楽音がスピーカから発せられるようになっている。
【先行技術文献】
【特許文献】
【０００３】
【特許文献１】特開２００１−３４２６８号公報
【発明の概要】
【発明が解決しようとする課題】
【０００４】
しかしながら、上記従来の鍵盤楽器では、鍵の下方の別々の箇所に、押すべき鍵を光学的に指示するための光源および押鍵検出用スイッチを設けているので、部品点数が大幅に増加してしまうばかりでなく、組立工程数も大幅に増加してしまうという問題がある。
【０００５】
そこで、この発明は、部品点数および組立工程数を大幅に減少することができる鍵ユニット及び鍵盤楽器を提供することを目的とする。
【課題を解決するための手段】
【０００６】
この発明は、鍵盤楽器に用いられ、押鍵操作に応じて上下に動く鍵と、前記鍵の下方に設けられた光源と、前記光源を点灯させるスイッチと、前記鍵の下方に設けられ、前記押鍵操作に応じて上下に動く支持板と、を備え、前記光源が前記支持板に設けられるとともに、前記スイッチを構成する少なくとも１つの接点が前記支持板の下面に設けられていることを特徴とする。
【発明の効果】
【０００７】
この発明によれば、支持板上に光源を設け、支持板下に可動接点および固定接点からなる押鍵検出用スイッチを設けているので、光源の部分と押鍵検出用スイッチの部分とが完全に別々である場合と比較して、部品点数および組立工程数を大幅に減少することができる。
【図面の簡単な説明】
【０００８】
【図１】この発明の一実施形態としての鍵盤楽器の要部の非押鍵状態の縦断面図。
【図２】図１に示す鍵を省略した状態における一部の平面図。
【図３】図２に示す回路基板の一部の平面図。
【図４】鍵が押されたときの図１同様の縦断面図。
【発明を実施するための形態】
【０００９】
図１はこの発明の一実施形態としての鍵盤楽器の要部の非押鍵状態の縦断面図を示し、図２は図１に示す鍵を省略した状態における一部の平面図を示し、図３は図２に示す回路基板の一部の平面図を示す。以下、図１を参照して説明する。この鍵盤楽器は、上下方向に揺動可能に設けられた鍵１を備えている。鍵１は図１の紙面に対して垂直な方向に複数並列されている。複数の鍵１の下方において鍵１の揺動中心よりも前方には細長い１つの回路基板２（図２および図３参照）が設けられている。
【００１０】
複数の鍵１の各下方における回路基板２の上方には平面長方形状の発光ダイオード（光源）支持板３（図２参照）が上下動可能に設けられている。発光ダイオード支持板３の長手方向は鍵１の長手方向に沿う方向となっている（図２参照）。発光ダイオード支持板３の長手方向の左端部下面および右端部下面と回路基板２の上面との間には導電性弾性部材してコイルばね４が設けられている。この回路基板２は電源に接続されている。
【００１１】
コイルばね４は、図２にも示すように、同一の構造であって、下に向かうに従って径が漸次大きくなる構造となっている。２つのコイルばね４の各上端部は発光ダイオード支持板３の下面に半田（図示せず）付けされている。２つのコイルばね４の各下端部は回路基板２に設けられた各孔５（図２および図３参照）に挿入され、回路基板２の下面に半田６付けされている。この状態では、図２にも示すように、２つのコイルばね４は点対称に配置されている。２つのコイルばね４夫々は、発光ダイオード支持板３の中心から等間隔に配置されている。
【００１２】
発光ダイオード支持板３の上面中央部には発光ダイオード（光源）７が設けられている。発光ダイオード７は円柱部の上面に半球部が設けられた構造となっている。発光ダイオード７の表面にはシリコンなどからなる透明または半透明な透過性のある保護カバー８が設けられている。保護カバー８は、押された鍵１による衝撃や鍵１との当接による衝撃などから発光ダイオード７を保護するためのものである。
【００１３】
ここで、図示していないが、発光ダイオード７の一方の電極および他方の電極は、発光ダイオード支持板３の上面に設けられた各上層配線、発光ダイオード支持板３の内部に各上層配線に接続されて設けられた各上下導通部および発光ダイオード支持板３の下面に各上下導通部に接続されて設けられた各下層配線を介して２つのコイルばね４の各上端部に接続されている。２つのコイルばね４の各下端部は回路基板２の上面に設けられた電源供給用の各配線に接続されている。これにより、回路基板２から電源を２つのコイルばね４および発光ダイオード支持板３を介して発光ダイオード７に供給することができるようになっている。
【００１４】
発光ダイオード支持板３の下面中央部にはカーボンなどからなる平面正方形状の可動接点９（図２参照）が設けられている。可動接点９の下方における回路基板２の上面にはカーボンなどからなる櫛歯形状の一対の固定接点１０（図３参照）が設けられている。そして、可動接点９および一対の固定接点１０により、押鍵検出用スイッチ１１が構成されている。
【００１５】
この鍵盤楽器では、図１に示す非押鍵状態では、鍵１は、例えばその後端部に設けられたヒンジ部（図示せず）の弾性復帰力により、その揺動中心を中心にして反時計方向に付勢され、所定の非押鍵位置に位置決めされている。この状態では、発光ダイオード７および可動接点９などを含む発光ダイオード支持板３は、２つのコイルばね４の力により上昇され、保護カバー８の上部が鍵１の内面に当接することにより、所定の初期位置に位置決めされている。この状態では、可動接点９は一対の固定接点１０から離間し、押鍵検出用スイッチ１１はオフとなっている。
【００１６】
さて、この鍵盤楽器において回路基板２から押すべき鍵１を光学的に指示するための電源が２つのコイルばね４および発光ダイオード支持板３を介して発光ダイオード７に供給されると、発光ダイオード７が点灯し、この点灯した発光ダイオード７から発せられた光が保護カバー８および押すべき鍵１を透過し、この透過した光を使用者が目視することにより、使用者に押すべき鍵１が指示される。
【００１７】
そして、図１と同様の縦断面図である図４に示すように、発光ダイオード７の点灯により指示された鍵１が押されると、この押された鍵１により保護カバー８を含む発光ダイオード７が押される。すると、発光ダイオード７および可動接点９などを含む発光ダイオード支持板３が２つのコイルばね４を縮小させながら２つのコイルばね４の力に抗して下降し、可動接点９が一対の固定接点１０に共に接触し、押鍵検出用スイッチ１１がオンとなる。押鍵検出用スイッチ１１がオンとなると、音源部（図示せず）に対して楽音の発音開始を指示するキーオンデータが得られる。これにより、押された鍵１に対応する楽音がスピーカ（図示せず）から発せられる。
なお、発光ダイオード支持板３の上に電源を設け、押鍵時に押鍵検出用スイッチ１１がオンとなった際に発光ダイオード７を点灯するようにしてもよい。
【００１８】
一方、押された鍵１に対する押圧が解除された場合には、図１に示すように、鍵１はその揺動中心を中心にして反時計方向に付勢されて元の非押鍵位置に戻される。これに伴い、発光ダイオード７および可動接点９などを含む発光ダイオード支持板３が２つのコイルばね４の力により上昇されて元の初期位置に戻り、可動接点９が一対の固定接点１０から離間し、押鍵検出用スイッチ１１がオフとなる。
【００１９】
以上のように、この鍵盤楽器では、発光ダイオード支持板３上に発光ダイオード７を設け、発光ダイオード支持板３下に押鍵検出用スイッチ１１を設けているので、発光ダイオード７の部分と押鍵検出用スイッチ１１の部分とが完全に別々である場合と比較して、部品点数および組立工程数を大幅に減少することができる。
【００２０】
また、この鍵盤楽器では、１つの回路基板２で発光ダイオード７用と押鍵検出用スイッチ１１用とを兼用しているので、発光ダイオード７用回路基板と押鍵検出用スイッチ１１用回路基板とが完全に別々である場合と比較して、部品点数および組立工程数を減少することができるばかりでなく、鍵１の下方のスペースを有効利用することが可能となる。
【００２１】
また、この鍵盤楽器では、２つのコイルばね４として、通常の同一径のものではなく、上から下に向かうに従って径が漸次大きくなるものを用いているので、コイルばね４を座屈することなく縮小させることができ、ひいては発光ダイオード支持板３を含む可動接点９の下降動作を安定化することができる。また、２つのコイルばね４として同一の構造のものを用いているので、１種類のコイルばね４を準備すればよく、コイルばね４の部品管理を容易とすることができる。
【００２２】
以上、この発明の一実施形態について説明したが、この発明は、これに限定されるものではなく、特許請求の範囲に記載された発明とその均等の範囲を含むものである。
【００２３】
以下に、この出願の当初の特許請求の範囲に記載された発明について付記する。
（付記）
請求項１に記載の発明は、複数の鍵と、前記複数の鍵夫々の下方に設けられた固定接点と、前記固定接点の周辺を取り囲むように設けられた弾性部材と、前記弾性部材上に載置され、前記固定接点に対応する可動接点が設けられた支持板と、前記支持板上でかつ前記鍵の下方に設けられ、当該鍵に対する押鍵操作に応答して前記弾性部材が弾性変形することによって前記可動接点が前記固定接点に接触した際に点灯する光源と、を備えていることを特徴とする鍵盤楽器である。
【００２４】
請求項２に記載の発明は、前記弾性部材は、コイルばねで構成され、当該コイルばねは下方に向かうに従って径が大きくなる構造であることを特徴とする請求項１に記載の鍵盤楽器である。
【００２５】
請求項３に記載の発明は、前記弾性部材は、導電性を有し、前記光源に対して電源を供給することを特徴とする請求項１に記載の鍵盤楽器である。
【００２６】
請求項４に記載の発明は、前記光源は、透過性を有するカバーで覆われていることを特徴とする請求項１乃至３のいずれかに記載の鍵盤楽器である。
【符号の説明】
【００２７】
１  鍵
２  回路基板
３  発光ダイオード支持板
４  コイルばね
７  発光ダイオード
８  保護カバー
９  可動接点
１０  固定接点
１１  押鍵検出用スイッチ
【図１】
0006459324.tif 000002
【図２】
0006459324.tif 000003
【図３】
0006459324.tif 000004
【図４】
0006459324.tif 000005